(57)【要約】【課題】１種の包埋トレイで大小サイズの異なるカセット等の各種パラフィンブロック付着体に対応できる病理組織検査標本作成用の包埋トレイを提供する。【解決手段】  方形の容器からなるパラフィン収容部２とその周縁に設けられたパラフィンブロック付着体の載置部３ａとからなり、前記載置部３ａが少なくとも２個設けられていることを特徴とする病理組織検査標本作成用の包埋トレイである。【選択図】図１
2006300745.tif 000002
【特許請求の範囲】
【請求項１】
方形の容器からなるパラフィン収容部とその周縁に設けられたパラフィンブロック付着体の載置部とからなり、前記載置部が少なくとも２個設けられていることを特徴とする病理組織検査標本作成用の包埋トレイ。
【請求項２】
パラフィンブロック付着体の載置部Ａがパラフィン収容部の周縁に沿って段状に設けられるとともに、２個の対向する２辺のいずれか１個又は２個の前記載置部Ａの中に、少なくとも１個のパラフィンブロック付着体の載置部Ｂが該載置部Ａよりも低い位置に段状に設けられていることを特徴とする請求項１記載の病理組織検査標本作成用の包埋トレイ。
【請求項３】
パラフィン収容部の形状が左右非対称であることを特徴とする請求項１又は２記載の病理組織検査標本作成用の包埋トレイ。
【発明の詳細な説明】
【技術分野】
【０００１】
本発明は病理組織検査標本作成用の包埋トレイに関し、更に詳しくは、１種の包埋トレイで大小サイズの異なるカセット等のパラフィンブロック付着体に対応できる病理組織検査標本作成用の包埋トレイに関する。
【背景技術】
【０００２】
従来、この種の病理組織検査標本作成用の包埋トレイとしては、周縁の支持部と収容部とからなり、前記収容部において病理組織検体をパラフィン包埋や凍結包埋ブロックを作成するトレイにおいて、前記収容部の形状を左右非対称としたことを特徴とする病理組織検査標本作成用トレイが知られている（例えば、特許文献１参照）。
【０００３】
また、検体をパラフィン等の鋳込み材料で鋳込む包埋処理を実施するための包埋皿において、鋳込み材料が注入されるキャビティを有し、前記キャビティは、底壁と前記底壁の周縁に立設された複数の側壁とにより区画されており、前記キャビティは、底壁側のキャビティ下部と前記キャビティ下部の上に位置するキャビティ上部とを有しており、前記側壁のうち前記キャビティ下部を囲んでいる側壁下部の内側表面と前記底壁の内側表面とが成す角度αは、前記側壁のうち前記キャビティ上部を囲んでいる側壁上部の内側表面と前記底壁の内側表面とが成す角度βより小さいことを特徴とする、包埋皿が報告されている（例えば、特許文献２参照）。
【特許文献１】実開平３−１０２４５号公報（第１図、第２図）
【特許文献２】特開２００３−１０６９６３号公報（図２、図３）
【発明の開示】
【発明が解決しようとする課題】
【０００４】
前者のトレイは、収容部の形状を左右非対称としたことにより、該トレイで得られた、検体を包埋するパラフィンブロックをミクロトームでスライスして得られる薄片の左右が明確に区別でき、作業効率と検査結果の信頼性を高めるものである。
【０００５】
また、後者の包埋皿は、キャビティ下部の側壁の底壁とのなす角度を小さくすることによりパラフィンブロックの形状を概ね角柱形状として、パラフィンブロックをスライスするに先だって、角柱形状となるように該ブロックの不要なパラフィンを除去、整形する工程を省略して作業工数及び作業時間の削減を図ろうとするものである。
【０００６】
ところで、一般に、パラフィンブロックはカセットの底部に検体を包埋するパラフィンを付着させて作成されるが、このパラフィンブロック付着体であるカセットのサイズは包埋する検体の種類やサイズにより種々のものが使用されている。更には、上記実開平３−１０２４５号公報にも記載されているように、包埋リングやクリオスタット（商品名）もカセットと同様にパラフィンブロック付着体として使用されており、これらの包埋リングやクリオスタットにも種々のサイズのものがある。
【０００７】
しかしながら、上記従来のトレイや包埋皿（以下、両者を含めて包埋トレイと記す）にあっては、収容部又はキャビティのサイズが一定であるため、例えば、パラフィンブロックを付着させ一体化するカセットのサイズが異なると、もはや該包埋トレイでは対応できなくなり、その結果、カセットのサイズに合わせて数多くのサイズの異なる包埋トレイを準備する必要があり、標本作成中においてもカセットのサイズに合わせて適切な包埋トレイを選択して使用する必要があるため、いきおい標本作成の作業が煩雑となり作業性が著しく低下するばかりでなく、金型代が嵩む等により包埋トレイのコストアップが避けられず、更に、多種の包埋トレイの製品管理や在庫管理も甚だ面倒とならざるを得ない。更にまた、輸送や保管にも広いスペースを必要とし、輸送や保管の効率が低い。
【０００８】
本発明はかかる実情に鑑み、上記従来技術の欠点を解消するもので、１種の包埋トレイを準備するだけでサイズの異なる各種のカセット、包埋リング等のパラフィンブロック付着体に対処できる包埋トレイを提供するものである。
【課題を解決するための手段】
【０００９】
本発明は上記目的を達成するためになされたもので、本発明の請求項１は、方形の容器からなるパラフィン収容部とその周縁に設けられたパラフィンブロック付着体の載置部とからなり、前記載置部が少なくとも２個設けられていることを特徴とする病理組織検査標本作成用の包埋トレイを内容とする。
【００１０】
本発明の請求項２は、パラフィンブロック付着体の載置部Ａがパラフィン収容部の周縁に沿って段状に設けられるとともに、２個の対向する２辺のいずれか１個又は２個の前記載置部Ａの中に、少なくとも１個のパラフィンブロック付着体の載置部Ｂが該載置部Ａよりも低い位置に段状に設けられていることを特徴とする請求項１記載の病理組織検査標本作成用の包埋トレイを内容とする。
【００１１】
本発明の請求項３は、パラフィン収容部の形状が左右非対称であることを特徴とする請求項１又は２記載の病理組織検査標本作成用の包埋トレイを内容とする。
【発明の効果】
【００１２】
本発明の病理検査標本作成用の包埋トレイは、カセット等のパラフィンブロック付着体の載置部が少なくとも２個設けられているので、１種の包埋トレイで各種のサイズの異なるパラフィンブロック付着体に対処することができる。
【００１３】
従って、パラフィンブロック作成の際に、予めサイズの異なる多種の包埋トレイを準備し、カセット等のパラフィンブロック付着体のサイズに合わせて包埋トレイを選択して使用する必要がなく、従って、作業性は大巾に向上する。
【００１４】
また、１種の包埋トレイでサイズの異なる多種のパラフィンブロック付着体に対処できるので、金型代が節約でき包埋トレイを安価に提供できるばかりでなく、製品管理や在庫管理が容易となり、また運搬や保管のスペースが小さくて済む。
【発明を実施するための最良の形態】
【００１５】
本発明の病理検査標本作成用の包埋トレイ（以下、単に包埋トレイと記す）は、方形の容器からなるパラフィン収容部とその周縁に設けられたパラフィンブロック付着体の載置部とからなり、前記載置部が少なくとも２個設けられていることを特徴とする。
【００１６】
本発明の包埋トレイは液状（溶融）パラフィンに耐える耐熱性素材から作られ、かかる素材としては、ステンレス等の金属、ポリエステル、ポリアミド、ポリカーボネート、ポリアセタール等の樹脂等が挙げられる。
【００１７】
パラフィン収容部は、パラフィンブロックの脱型を容易にするため、通常、側壁が底部から開口部に向かって末広がりのテーパー状の容器からなる。
【００１８】
パラフィン収容部の開口部周縁には、パラフィンブロック付着体の載置部が設けられる。該載置部は、パラフィンブロック収容部の開口部周縁でパラフィンブロック付着体を載置できるものであれば特に制限されないが、好ましくは、開口部周縁から外方向に延設された水平部により形成される。より好ましくは、該水平部と該水平部の外側に略垂直方向に延設された壁部とにより形成され、更に好ましくは、該壁部の外方向に更に略水平の縁部が形成された形状からなる。
【００１９】
壁部はパラフィンブロック付着体が自由に滑動しないように固定し、また、縁部はサイズの大きいパラフィンブロック付着体を裏面から支承し安定的に固定するとともに、取り扱い性を容易にし且つ外観性を向上させる。
【００２０】
パラフィンブロック付着体の載置部は、少なくとも２個設けられる。２個又はそれ以上の載置部は、上記の如く、パラフィンブロック収容部の開口部周縁に設けた載置部をＡとすると、この載置部Ａの中であって、２個の対向する２辺のうちのいずれか１個又は２個に、前記載置部Ａよりも低い位置に、少なくとも１個の載置部Ｂが設けられる。
例えば、パラフィン収容部が矩形の容器からなる場合、対向する２辺としては、長辺側と短辺側との２個が存在するが、例えば、長辺側の２辺に１個の載置部Ｂ１を設けると、載置部Ａと載置部Ｂ１の２個の載置部となり２種のパラフィンブロック付着体に対応でき、また、短辺側の２辺にも載置部Ｂ２を設けるとＡ、Ｂ１、Ｂ２の合計３個の載置部となり３種のパラフィンブロック付着体に対応でき、更にまた、長辺側に２個の載置部Ｂ１、Ｂ２、短辺側にも２個の載置部Ｂ３、Ｂ４を設けると、Ａ、Ｂ１、Ｂ２、Ｂ３、Ｂ４の合計５個の載置部となり、５種のパラフィンブロック付着体に対応可能となる。
【００２１】
パラフィン収容部の形状は、左右非対称とすることにより、ミクロトームでスライスされた薄片の左右が明確に区別されるので、作業性が高められ、また左右誤認により検体を誤認するといったトラブルが防止されるので、検査の信頼性が向上する。
【００２２】
パラフィンブロック付着体は、検体を包埋したパラフィンブロックを付着させ、パラフィンブロックの基体となるもので、カセットの他、包埋リング、クリオスタット（商品名）等が挙げられる。
【実施例】
【００２３】
以下、本発明を実施例を示す図面に基づいて更に詳細に説明するが、本発明はかかる実施例のみに限定されないことは云うまでもない。
【００２４】
実施例１
本実施例の包埋トレイ１は、図１の斜視図、図２のＡ−Ａ断面図に示すように、底部２ａとそれを取り囲む側壁２ｂとから形成される方形の容器からなるパラフィン収容部２と、該収容部２の周縁、即ち、該収容部２の開口部周縁に延設された水平部３ａからなる、パラフィンブロック付着体の載置部Ａが設けられ、更に、該載置部Ａの中の対向する長辺側の２辺に、該載置部Ａよりも低い位置に、水平部４ａからなる載置部Ｂが設けられている。これらの図において、５は把持部である。
【００２５】
パラフィン収容部２を形成する側壁２ｂは、底部２ａから開口部付近の載置部Ａ、Ｂに向かって末広がりのテーパー状に設けられており、これによりパラフィンブロックの包埋トレイ１からの脱型が容易となる。
【００２６】
また、パラフィン収容部２の４角のうちの１つの角には直角の部分を覆うように斜角部２ｃが設けられ、これによりミクロトームでスライスされた薄片の左右が明確に区別され、左右誤認により検体を誤認するといったトラブルが防止され、検査結果の信頼性が高められる。
【００２７】
また、本実施例では、載置部Ａは、水平部３ａと、その外側に略垂直方向に延設された壁部３ｂと、更に、該壁部３ｂの上端より略水平方向に延設された縁部３ｃとから形成されている。
【００２８】
同様に、載置部Ｂについても、水平部４ａと、その外側に略垂直方向に延設された壁部４ｂとから形成されている。尚、パラフィンブロック付着体のサイズや形状によっては、該壁部４ｂの上端より略水平方向に延設された縁部４ｃにより形成される場合がある。
【００２９】
図３〜図１２は、本実施例の包埋トレイ１の載置部Ａ又はＢに各種のパラフィンブロック付着体を載置して検体を包埋したパラフィンブロックを作成する状態を示す上面図及び断面図である。
【００３０】
図３及び図４は、図１、図２における包埋トレイ１の載置部Ｂに、短辺側の１つに氏名等を記載するテーパー状の記録部７を備えたカセット６ａが載置されている。８は検体、９はパラフィンである。
【００３１】
図５及び図６は、図３、図４におけるカセット６ａに代えて、テーパー状の記録部を備えず、その分だけカセット本体の面積を大きくしてサイズの大きい検体を収容可能としたカセット６ｂを使用した他は同様である。
【００３２】
図７及び図８は、図３、図４におけるカセット６ａに代えて、側壁の高さを大きくしてサイズ（厚み）の大きい検体を収容可能とするとともに、従来のカセット用のアダプターに適用できるように、側壁の略上半分を厚くしてアダプター係止部１０を突設したカセット６ｃを使用した他は同様である。
【００３３】
図９及び図１０は、図３、図４におけるカセット６ａに代えて、包埋リング１１ａを使用した他は同様である。
【００３４】
図１１及び図１２は、サイズの大きい包埋リング１１ｂを図１、図２における包埋トレイ１の載置部Ａに載置して、パラフィンブロックを作成する状態を示す上面図及び断面図である。
【００３５】
実施例２
本実施例の包埋トレイ１は、図１３に示すように、載置部Ａの中に、長辺側には載置部Ｂ１とＢ２を、短辺側には載置部Ｂ３を設けた例で、この包埋トレイでは、サイズの異なる４種のパラフィンブロック付着体に対応することが可能である。
【００３６】
実施例３
本実施例の包埋トレイは、図１４に示すように、実施例１（図１、図２）に示した包埋トレイ１において、斜角部２ｃを省略した他は同様である。
【００３７】
実施例４
本実施例の包埋トレイ１は、図１５に示すように、実施例３（図１４）に示した包埋トレイ１において、載置部Ａの中の載置部Ｂを短辺側に設けた他は同様である。
【００３８】
実施例５
本実施例の包埋トレイ１は、図１６に示すように、実施例３（図１４）に示した包埋トレイにおいて、載置部Ａの中に、長辺側に載置部Ｂ１、Ｂ２、短辺側に載置部Ｂ３、Ｂ４をそれぞれ設けた例で、この包埋トレイ１によれば、サイズの異なる５種のパラフィンブロック付着体に対応することが可能である。
【産業上の利用可能性】
【００３９】
叙上のとおり、本発明の病理組織検査標本作成用の包埋トレイは、１種の包埋トレイを準備するだけでカセット、包埋リング等の各種のパラフィンブロック付着体及びそれらのサイズの異なるものに対処できる。
【００４０】
従って、標本を作成するに際し、予め多種多様の包埋トレイを準備しておき、カセット、包埋リング等の種類やサイズに応じて包埋トレイを選択使用するという煩雑さから開放され、作業効率が大巾に向上するとともに、製品管理や在庫管理が容易となり、また、輸送や保管のスペースも小さくなり、輸送や保管の効率も向上する。更にまた、金型代が節約できるので、安価な包埋トレイを提供することができる。
【図面の簡単な説明】
【００４１】
【図１】本発明の包埋トレイの実施例を示す斜視図である。
【図２】図１のＡ−Ａ断面図である。
【図３】図１、図２の包埋トレイにカセット６ａを載置した状態を示す上面図である。
【図４】図３の包埋トレイに検体とパラフィンを入れた状態のＢ−Ｂ断面図である。
【図５】図１、図２の包埋トレイにカセット６ｂを載置した状態を示す上面図である。
【図６】図５の包埋トレイに検体とパラフィンを入れた状態のＣ−Ｃ断面図である。
【図７】図１、図２の包埋トレイにカセット６ｃを載置した状態を示す上面図である。
【図８】図７の包埋トレイに検体とパラフィンを入れた状態のＤ−Ｄ断面図である。
【図９】図１、図２の包埋トレイに包埋リング１１ａを載置した状態を示す上面図である。
【図１０】図９の包埋トレイに検体とパラフィンを入れた状態のＥ−Ｅ断面図である。
【図１１】図１、図２の包埋トレイに包埋リング１１ｂを載置した状態を示す上面図である。
【図１２】図１１の包埋トレイに検体とパラフィンを入れた状態のＦ−Ｆ断面図である。
【図１３】本発明の包埋トレイの他の実施例を示す斜視図である。
【図１４】本発明の包埋トレイの更に他の実施例を示す斜視図である。
【図１５】本発明の包埋トレイの更に他の実施例を示す斜視図である。
【図１６】本発明の包埋トレイの更に他の実施例を示す斜視図である。
【符号の説明】
【００４２】
１  包埋トレイ
２  パラフィン収容部
２ａ  底部
２ｂ  側壁
２ｃ  斜角部
３ａ  パラフィンブロック付着体の載置部（水平部）
３ｂ  パラフィンブロック付着体の載置部（壁部）
３ｃ  パラフィンブロック付着体の載置部（縁部）
４ａ  パラフィンブロック付着体の載置部（水平部）
４ｂ  パラフィンブロック付着体の載置部（壁部）
４ｃ  パラフィンブロック付着体の載置部（縁部）
５  把持部
６ａ、６ｂ、６ｃ  カセット
７  記録部
８  検体
９  パラフィン
１０  アダプター係止部
１１ａ、１１ｂ  包埋リング
【図１】
2006300745.tif 000003
【図２】
2006300745.tif 000004
【図３】
2006300745.tif 000005
【図４】
2006300745.tif 000006
【図５】
2006300745.tif 000007
【図６】
2006300745.tif 000008
【図７】
2006300745.tif 000009
【図８】
2006300745.tif 000010
【図９】
2006300745.tif 000011
【図１０】
2006300745.tif 000012
【図１１】
2006300745.tif 000013
【図１２】
2006300745.tif 000014
【図１３】
2006300745.tif 000015
【図１４】
2006300745.tif 000016
【図１５】
2006300745.tif 000017
【図１６】
2006300745.tif 000018